(57)【要約】【解決手段】  針回収キット２は、縫合針１を穿刺可能な針保持体３と、当該針保持体３を保持する容器部４と、上記容器部４を閉鎖する蓋部５と、容器部４と蓋部５とを揺動可能に保持するミシン目６（ヒンジ部）とを備えている。  上記容器部４は上記針保持体３の固定される底面１１ａと、当該底面１１ａを囲繞する壁面１２とを有し、かつ上記ヒンジ部から上記容器部４の底面１１ａまでの距離と、上記ヒンジ部から上記蓋部５の天面２１までの距離とを等距離に設定して、上記蓋部５の開放状態では上記容器部４の底面１１ａと蓋部５の天面２１とが平坦な作業台に接するようにしている。  また、針保持体３における少なくとも一つの側面に対して、上記容器部４の壁面１２を離隔して設け、これらの間に空間を形成するようになっている。【効果】  医療従事者が効率的に使用することができる。【選択図】  図２
2016209227.tif 000002
【特許請求の範囲】
【請求項１】
針を穿刺可能な針保持体と、当該針保持体を保持する容器部と、上記容器部を閉鎖する蓋部と、容器部と蓋部とを揺動可能に保持して上記蓋部を開放状態もしくは閉鎖状態とするヒンジ部とを備えた針回収キットにおいて、
上記容器部は上記針保持体の固定される底面と、当該底面を囲繞する壁面とを有し、かつ上記ヒンジ部から上記容器部の底面までの距離と、上記ヒンジ部から上記蓋部の天面までの距離とを等距離に設定して、上記蓋部の開放状態では上記容器部の底面と蓋部の天面とが平坦な被接地面に接するようにし、
かつ、針保持体における少なくとも一つの側面に対して、上記容器部の壁面を離隔して設け、これらの間に空間を形成することを特徴とする針回収キット。
【請求項２】
上記針保持体の側面の全周を上記空間に露出させて、針保持体の側面と上記容器部の壁面との間に環状の空間からなる環状凹部を形成し、
上記蓋部に環状凸部を設けて、上記蓋部を閉鎖状態とすると上記環状凸部が上記容器部の環状凹部に嵌合することを特徴とする請求項１に記載の針回収キット。
【請求項３】
上記容器部は、針保持体の嵌合する凹状の位置決め部と、該位置決め部と上記壁面との間に形成した段差面とを備え、
上記位置決め部の底面によって上記容器部の底面を構成するとともに、上記針保持体が上記段差面より上方に突出するように設けて、上記壁面と針保持体の側面との間に上記空間を形成したことを特徴とする請求項１または請求項２のいずれかに記載の針回収キット。
【請求項４】
上記段差面に上記底面と同方向に突出する溝部を形成し、上記ヒンジ部から当該溝部の底部までの距離を、上記ヒンジ部から上記底面までの距離と等距離に設定したことを特徴とする請求項３に記載の針回収キット。
【請求項５】
上記蓋部に、上記溝部に嵌合する第２凸部を設けたことを特徴とする請求項４に記載の針回収キット。
【請求項６】
上記容器部と蓋部とを樹脂により一体成形して、成形された容器部と蓋部とが開放状態を維持するように成形し、上記ヒンジ部を上記容器部と蓋部との境界に形成されたミシン目とすることで、上記樹脂を上記ミシン目の位置で折り曲げて上記閉鎖状態とすることを特徴とする請求項１から請求項５のいずれかに記載の針回収キット。
【発明の詳細な説明】
【技術分野】
【０００１】
本発明は針回収キットに関し、詳しくは外科手術等に用いた使用後の縫合針等を回収するための針回収キットに関する。
【背景技術】
【０００２】
今日、外科手術等に用いられる縫合針は、体内への取り残し等の事故を防ぐため、使用後に回収されてその本数がカウントされるようになっており、例えば特許文献１に記載されるような針回収キットが用いられている。
特に特許文献１の図１４には、針を穿刺可能な針保持体と、当該針保持体を収容する容器部と、上記容器部を閉鎖する蓋部と、容器部と蓋部とを揺動可能に保持して上記蓋部を開放状態もしくは閉鎖状態とするヒンジ部とを備えた針回収キットが開示されている。
【先行技術文献】
【特許文献】
【０００３】
【特許文献１】特開２００１−２２４６０３号公報
【発明の概要】
【発明が解決しようとする課題】
【０００４】
しかしながら、上記図１４に開示された針回収キットは、使用時に土台を必要としており、当該針回収キットだけでは作業台に安定して載置することができず、使用時に医療従事者の作業負担が増大するという問題があった。
このような問題に鑑み、本発明は医療従事者にとって効率的に使用が可能な針回収キットを提供するものである。
【課題を解決するための手段】
【０００５】
すなわち、本発明にかかる針回収キットは、針を穿刺可能な針保持体と、当該針保持体を保持する容器部と、上記容器部を閉鎖する蓋部と、容器部と蓋部とを揺動可能に保持して上記蓋部を開放状態もしくは閉鎖状態とするヒンジ部とを備えた針回収キットにおいて、
上記容器部は上記針保持体の固定される底部と、当該底部を囲繞する壁面とを有し、かつ上記ヒンジ部から上記容器部の底面までの距離と、上記ヒンジ部から上記蓋部の天面までの距離とを等距離に設定して、上記蓋部の開放状態では上記容器部の底面と蓋部の天面とが平坦な被接地面に接するようにし、
かつ、針保持体における少なくとも一つの側面に対して、上記容器部の壁面を離隔して設け、これらの間に空間を形成することを特徴としている。
【発明の効果】
【０００６】
上記発明によれば、上記蓋部の開放状態では、上記容器部の底面と蓋部の天面とが作業台等の平坦な被接地面に接地するため、作業台上に針回収キットを安定して載置することができる。これにより特許文献１のように針回収キットを土台に設置するという作業が不要となる。
一方、上記容器部において上記針保持体は周囲を壁面に囲繞されることとなるが、針保持体の側面と壁面との間に空間を形成することにより、医療従事者は湾曲した縫合針であってもこれを針保持体の側面に穿刺することができ、穿刺するための煩雑な動作を軽減することができる。
【図面の簡単な説明】
【０００７】
【図１】本実施例にかかる針回収キットの平面図
【図２】針回収キットにおける開放状態を示した断面図
【図３】針回収キットにおける閉鎖状態を示した断面図
【図４】第２実施例にかかる針回収キットの平面図
【発明を実施するための形態】
【０００８】
以下図示実施例について説明すると、図１〜図３は外科手術等に用いた使用後の縫合針１を回収するための針回収キット２を示し、図１は平面図を、図２は使用前の断面図を、図３は使用後の断面図をそれぞれ示している。
針回収キット２は、縫合針１を穿刺可能な針保持体３と、当該針保持体３を保持する容器部４と、上記容器部４を閉鎖する蓋部５とを有しており、このうち容器部４と蓋部５とは一体的に形成され、これら容器部４と蓋部５との境界にはヒンジ部としてのミシン目６が形成されている。
上記針保持体３には複数本の縫合針１が穿刺可能となっており、外科手術の際に複数の縫合針１を使用した場合には、使用後の縫合針１を順次上記針保持体３に穿刺して、使用した縫合針１の数をカウントしながら回収し、患者の体内への縫合針１の置忘れを防止するようになっている。
また縫合針１を収容した後には、上記蓋部５を図２に示す開放状態から、図３に示す閉鎖状態とすることで、回収した縫合針１ごと針回収キット２を廃棄することができ、その際縫合針１に付着した血液等の飛散が防止されることから、衛生的に廃棄を行うことができる。
【０００９】
上記針保持体３は発泡ポリエチレン等で製造されるとともに略直方体形状を有しており、平面図に示すように８つの区画が印刷によって設定され、医療従事者はこの区画に従って針保持体３の上面や側面に縫合針１を穿刺するようになっている。
特に、湾曲した縫合針１を回収するために当該縫合針１を針保持体３の側面に穿刺できるため、医療従事者による複雑な動作を不要とし、効率的な作業を可能としている。
【００１０】
上記容器部４および蓋部５は透明なＰＥＴ等の樹脂を真空成型等によって一体的に成形したものとなっており、透明な樹脂で製造することにより蓋部５を閉鎖状態としても外部より回収した縫合針１を視認することが可能となっている。
上記容器部４および蓋部５はそれぞれ有底皿状を有しており、これらの外周にはフランジ部４ａ、５ａが形成され、容器部４のフランジ部４ａと蓋部５のフランジ部５ａとの境界に上記ミシン目６が形成されている。
成形の際、容器部４と蓋部５とは図２に示す開放状態で成形されるようになっており、これを図３の閉鎖状態とするためにはフランジ部４ａとフランジ部５ａとの境界で上記樹脂を折り曲げる必要がある。
そこで、上記容器部４と蓋部５との境界に上記ミシン目６を設けて、当該ミシン目６の位置で上記樹脂の弾性力に抗しながらこれを折り曲げることで、上記蓋部５を容器部４に対して揺動させて閉鎖状態とすることが可能となっている。
【００１１】
上記容器部４は、上記針保持体３の固定される位置決め部１１と、当該位置決め部１１を囲繞する壁面１２と、位置決め部１１と壁面１２との間に形成された段差面１３とを有し、上記フランジ部４ａは上記壁面１２の上端部に隣接して形成されている。
上記位置決め部１１は針保持体３の底部と略同一形状に形成された底面１１ａを有しており、また被接地面としての図示しない作業台に載置した場合に安定するよう、当該底面１１ａは平坦に形成されている。
また上記底面１１ａの外部側、すなわち作業台に接触する面には予め図示しない両面テープが貼付されており、使用時にはこの両面テープによって針回収キット２を作業台に接着固定することが可能となっている。
上記位置決め部１１は上記段差面１３に対して相対的に下方に突出し、その深さは上記針保持体３の高さよりも浅く設定されている。これにより、上記針保持体３の下方部分が位置決め部１１に嵌合すると、その上部が上記段差面１３よりも上方に突出するようになっている。
そして上記針保持体３は両面テープ等の手段によって位置決め部１１の底面１１ａに接着固定され、また固定された針保持体３の上面は、上記壁面１２の上端部、すなわちフランジ部４ａよりも若干上方に突出する程度の高さに位置するようになっている。
【００１２】
上記壁面１２は上記段差面１３によって上記位置決め部１１に対して離隔した位置に形成されており、これにより針保持体３の側面と上記容器部４の壁面１２との間には、針保持体３を囲繞する環状の空間からなる環状凹部１４が形成されている。
このように針保持体３と壁面１２との間に空間を形成したことで、上述したように湾曲した縫合針１であっても上記針保持体３の側面に縫合針１を穿刺することが可能であり、医療従事者は簡易な動作で縫合針１の回収が可能となっている。
また段差面１３における図１の図示右方、すなわち上記蓋部５と反対側には、上記位置決め部１１に沿って溝部１５が形成され、当該溝部１５は上記位置決め部１１と同じ方向に突出するとともに平坦に形成された底面１５ａを備えている。
上記溝部１５は上記位置決め部１１と同じ深さに形成され、換言すると、上記ミシン目６の形成されたフランジ部４ａから上記溝部１５の底面１５ａまでの距離は、フランジ部４ａから位置決め部１１の底面１１ａまでの距離と等距離となっている。
このような構成により、上記針回収キット２を作業台に載置すると、上記位置決め部１１の底面１１ａと溝部１５の底面１５ａとが作業台に接触するようになっており、針回収キット２を安定して載置することができる。
また上記溝部１５を形成することで、針保持体１１の側面と当該溝部１５の形成された側の壁面１２との間に、より広い空間を得ることができ、医療従事者はこのより広い空間を用いて針保持体３の側面に縫合針１を穿刺することができる。
そして上記溝部１５における位置決め部１１側の側面は、上方に向けて広がるように湾曲しており、蓋部５を閉鎖状態とする際に、後述する蓋部５に形成された第２凸部２４の移動軌跡と干渉しないようになっている。
【００１３】
上記蓋部５は、天面２１および当該天面２１を囲繞する壁面２２と、当該壁面２２と上記フランジ部５ａとの間に形成された環状凸部２３と、上記環状凸部２３よりさらに突出して上記容器部４の溝部１５に嵌合する第２凸部２４とから構成されている。
蓋部５の天面２１は平坦に形成され、当該天面２１の四方を囲繞するように壁面２２が形成されている。このため、蓋部５を閉鎖状態とすると、上記針保持体３の上方には当該針保持体３に穿刺された縫合針１を収容するための空間が形成されるようになっている。
また蓋部５における天面２１までの高さ、すなわち上記ミシン目６の形成されたフランジ部５ａから上記蓋部５の天面２１までの距離は、上記容器部４におけるフランジ部４ａから底面１１ａまでの距離と等距離に設定されている。
この結果、図２に示す蓋部５の開放状態とすると、上記容器部４の底面１１ａと蓋部５の天面２１とが作業台に接することとなり、針回収キット２を作業台に安定して載置することが可能となっている。
上記環状凸部２３は、図２の開放状態では上記壁面２２に対して上方に突出するように形成され、図３の閉鎖状態では上記容器部４における上記針保持体３の側面と壁面１２との間に形成された環状凹部１４に嵌合するようになっている。
このように環状凸部２３と環状凹部１４とが嵌合すると、上記蓋部５が樹脂の弾性回復によって開放状態に戻ろうとするのを阻止し、閉鎖状態を維持するようになっている。
【００１４】
上記第２凸部２４は上記容器部４の溝部１５に嵌合するよう、上記容器部４とは反対側に形成されており、上記環状凸部２３に対してさらに突出するように形成されている。
そして蓋部５が閉鎖状態となると、上記第２凸部２４は上記溝部１５に嵌合し、これにより針保持体３に穿刺された縫合針１に縫合糸がついたままである場合には、この第２凸部２４と溝部１５とによってこの縫合針１を挟持することが可能となっている。
上記第２凸部２４と溝部１５とで縫合針１を挟持することにより、蓋部５を閉鎖状態とした後には、針回収キット２の外部に露出した縫合糸が引っ張られても、針回収キット２内の縫合針１が針保持体３より脱落しないようになっている。
【００１５】
図４は第２実施例にかかる針回収キット２を示し、この針回収キット２は複数の縫合針１を回収可能な上記第１実施例にかかる針回収キット２に対し、一つの縫合針１を回収するために使用される。
具体的には、上記針保持体３は平面図において略正方形を有しており、当該針保持体３に１つの縫合針１を穿刺し、その後蓋部５を閉鎖して当該縫合針１を回収するものとなっている。
なお、その他の構成については上記第１の実施例にかかる針回収キット２と同様の構成を有しているので、詳細な説明については省略する。
【００１６】
なお、上記各実施例において、針保持体３のすべての側面と容器部４の壁面１２との間で環状の空間を形成する必要はない。例えば図１、図４における図示右方の側面のみを上記空間に露出させるようにしてもよい。
このような構成であっても、針保持体３の右方に段差面１３および溝部１５によって壁面１２との間に空間が形成されるため、当該空間に露出した針保持体３の側面に縫合針１を穿刺することができる。
また上記各実施例において、上記蓋部５に形成した第２凸部２４についてはこれを省略して、環状凸部２３を全周同じ高さで形成してもよい。このような構成であっても、環状凸部２３と環状凹部１４とが嵌合することで縫合糸が挟持されるため、縫合糸の引っ張りによる縫合針１の脱落を防止することができる。
【符号の説明】
【００１７】
１  縫合針                ２  針回収キット
３  針保持体              ４  容器部
５  蓋部                  ６  ミシン目
１１  位置決め部          １１ａ  底面
１２  壁面                １３  段差面
１４  環状凹部            １５  溝部
２１  天面                ２３  環状凸部
２４  第２凸部
【図１】
2016209227.tif 000003
【図２】
2016209227.tif 000004
【図３】
2016209227.tif 000005
【図４】
2016209227.tif 000006